(57)【要約】  洗面台２は、ボウル・ユニット４と、ボウル・ユニットを支持するスカート６とを含む。ボウル・ユニット２は、主に又は全体的に、金属で作られ、スカート６は、主に又は全体的に、成形された熱可塑性材料で作られる。スカート６は、ボウル・ユニットを支持するためにボウル・ユニットの縁部分２９の下に位置する周辺リム２８を含み、ボウル・ユニット４及びスカート６は、互いに接着される。
2019520962.tif 000002
【特許請求の範囲】
【請求項１】
ボウル・ユニットと、前記ボウル・ユニットを支持するスカートと、前記スカートを実質的に垂直な壁又は支持構造に装着するための装着ブラケットとを含む洗面台であって、前記ボウル・ユニットは、主に又は全体的に、金属で作られ、前記スカートは、主に又は全体的に、熱可塑性材料で作られた一体成形体を有し、前記スカートは、前記ボウル・ユニットを支持するために前記ボウル・ユニットの縁部分の下に位置する周辺リムを含み、前記ボウル・ユニット及び前記スカートは、前記スカートの前記周辺リムの周りで互いに接着される、洗面台。
【請求項２】
前記ボウル・ユニットは、主に又は全体的に、ステンレス鋼で作られる、請求項１に記載の洗面台。
【請求項３】
前記スカートは、主に又は全体的に、ＡＢＳ／ポリカーボネート材料で作られる、請求項１又は２に記載の洗面台。
【請求項４】
前記スカートは、射出成形部品を有する、請求項１から３までのいずれか一項に記載の洗面台。
【請求項５】
前記スカートは、前記装着ブラケットによる実質的に垂直な壁又は支持構造への取り付けのために、使用時に前記洗面台の後部領域に位置する実質的に垂直的な壁部を含む、請求項１から４までのいずれか一項に記載の洗面台。
【請求項６】
前記スカートは、使用時に前記洗面台の前部領域に位置する湾曲部分を含む、請求項１から５までのいずれか一項に記載の洗面台。
【請求項７】
前記ボウル・ユニットは、ボウル部分と、前記ボウル部分の周りに延在するデッキとを含む、請求項１から６までのいずれか一項に記載の洗面台。
【請求項８】
前記デッキは、前記スカートの前記周辺リムの周りに延在する下向きに曲がった壁部を含む、請求項７に記載の洗面台。
【請求項９】
前記スカートは、前記ボウル・ユニットの前記ボウル部分の下に延在してこれを支持する支持構造を含む、請求項７又は８に記載の洗面台。
【請求項１０】
前記ボウル部分は前記支持構造に接着される、請求項９に記載の洗面台。
【請求項１１】
前記ボウル・ユニット及び前記スカートは、接着材料によって互いに接着される、請求項１から１０までのいずれか一項に記載の洗面台。
【請求項１２】
前記デッキは、直立する後壁部を前記デッキの後縁部に含む、請求項１から１１までのいずれか一項に記載の洗面台。
【請求項１３】
前記洗面台は、放水吐出口と、前記吐出口への水の流れを制御するバルブ・アセンブリとを含む、請求項１から１２までのいずれか一項に記載の洗面台。
【請求項１４】
前記バルブ・アセンブリは、前記スカートの前部分に隣接して位置する制御デバイスによって操作可能である、請求項１３に記載の洗面台。
【請求項１５】
前記バルブ・アセンブリは、水の流れを所定期間の間可能にするように構成される、請求項１３又は１４に記載の洗面台。
【請求項１６】
前記装着ブラケットは、水準器を含む、請求項１から１５までのいずれか一項に記載の洗面台。
【発明の詳細な説明】
【技術分野】
【０００１】
本発明は、洗面台に関し、特には、業務用厨房及び類似の商業施設における使用のために設計された手洗い洗面台に関する。
【背景技術】
【０００２】
業務用厨房における使用のために設計された手洗い洗面台は、通常、総ステンレス鋼構造であり、典型的には、３０４グレードのオーステナイト系ステンレス鋼で作られたボウル及びデッキと、グレードのより低いフェライト鋼で作られたスカートとから成る。フェライト鋼は、ボウル及びデッキのために使用されるオーステナイト系ステンレス鋼よりもコストが安い材料であるため、通常、スカートのために選ばれるが、耐食性がより低い。ボウル及びスカートは、通常、洗面台を形成するために一体にボルト締め又はリベット締めされる。
【０００３】
スカートのために使用されるフェライト鋼は、複雑な湾曲形状に形成するのが困難である。従って、スカートは、平坦な側部と鋭い角部とを備えた単純な四角いボックス形状を有しがちである。このことは、洗浄を難しくする。洗面台をスカートに締結するためのボルト又はリベットの使用も、特に、例えば病棟の厨房又は実験室といった滅菌状態が必要とされる場所において、洗浄の問題を生じさせる。角部は突出しがちであり、ユーザが簡単にぶつかってしまうことがあり、怪我を負わせてしまう。又、十分なバリ取りがなされていないと、スカートを形成する鋼パネルは、非常に鋭い縁部を有し得、これは洗浄時に切り傷の危険を生じさせ得る。
【０００４】
湾曲した前部と完全にバリ取りされた縁部とを備える総ステンレス鋼の手洗い用洗面台を作成することは可能であるが、高価になる。故に、このような洗面台は、多くの厨房設備に適しているとは考えられ得ない。
【発明の概要】
【発明が解決しようとする課題】
【０００５】
本発明の目的は、前述の問題の１つ又は複数を軽減する手洗い洗面台を提供することである。
【課題を解決するための手段】
【０００６】
本発明の一態様によると、ボウル・ユニットと、ボウル・ユニットを支持するスカートと、スカートを実質的に垂直な壁又は支持構造に装着するための装着ブラケットとを含む洗面台であって、ボウル・ユニットは、主に又は全体的に、金属で作られ、スカートは、主に又は全体的に、熱可塑性材料で作られた一体成形体（ｕｎｉｔａｒｙ  ｍｏｕｌｄｉｎｇ）を有し、スカートは、ボウル・ユニットを支持するためにボウル・ユニットの縁部分の下に位置する周辺リムを含み、ボウル・ユニット及びスカートは、スカートの周辺リムの周りで互いに接着される、洗面台が提供される。
【０００７】
スカートを、熱可塑性材料を使用して一体成形体として形成することによって、鋭い角部、接続部又は縁部を有さず、洗浄が容易で、切り傷の危険を生じさせない洗面台を提供することが可能になった。スカートを「一体成形体」と表現することによって、スカートが単一のコンポーネントとして成形されることを意味する。スカートは、熱可塑性材料に着色剤を加えることによって色付けもされ得、このことは、交差汚染が回避される必要のある場所において、及び特定の作業者が特定の機器のみを使用可能である場所、例えば実験室、において重要であり得る。ボウル・ユニットをスカートに接着することによって、ボルト又はリベットなどの締結具の使用を回避しており、このことは、特に滅菌状態が必要とされる場所において、洗浄をより容易にする。スカートは、任意の所望の形状に作ることができ、バリ取りを必要としない。洗面台は、非常に好ましい外観も有し得る一方、強固でもあり、耐摩耗性も有し、全ての必要な機能的な要件を満足もする。又、洗面台は、高価な金属造形処理が回避されているため、比較的低コストで製造され得る。
【０００８】
本発明において、ボウル・ユニットは、主に又は全体的に、金属で作られ、スカートは、主に又は全体的に、成形された熱可塑性材料で作られるものと指定した。「主に又は全体的に」という用語によって、ボウルが、全体的に金属で作られるか、又は主に金属で作られる（例として、重量で少なくとも６０％、好ましくは少なくとも７０％、８０％、又は９０％が金属）かのいずれかであることを意味する。もちろん、洗面台は他の材料で作られたいくつかの部品も含んでよいことは理解されよう。
【０００９】
同様に、スカートが、主に又は全体的に、成形された熱可塑性材料で作られるものと指定することによって、スカートが、全体的に成形された熱可塑性材料で作られるか、又は主に成形された熱可塑性材料で作られる（例として、重量で少なくとも６０％、好ましくは少なくとも７０％、８０％、又は９０％）かのいずれかであることを意味する。もちろん、スカートは他の材料で作られたいくつかの部品も含んでよいことは理解されよう。これらの部品は、例えば、スカートが成形された後でスカートに取り付けられ得、又は成形処理中にスカートに組み込まれ得る。
【００１０】
一実施例において、ボウル・ユニットは、主に又は全体的に、ステンレス鋼で、好ましくは、例えばオーステナイト系ステンレス鋼で作られ、これは、耐食性が高く、耐久性があり、洗浄が容易で、外観が魅力的である。
【００１１】
一実施例において、スカートは、主に又は全体的に、ＡＢＳ／ポリカーボネート材料で作られ、これは、良好な機械的特性を有し（例えば、これは強固で耐久性がある）、多くの形に成形され得、洗浄が容易で、外観が魅力的である。
【００１２】
一実施例において、スカートは、射出成形部品を有する。
【００１３】
ボウル・ユニット及びスカートは、スカートの周辺リムの周りで互いに接着され、それによって、非常に丈夫で頑強な洗面台ユニットを形成する。
【００１４】
一実施例において、スカートは、装着ブラケットによる実質的に垂直な壁又は支持構造への取り付けのために、使用時に洗面台の後部領域に位置する実質的に垂直的な壁部を含む。
【００１５】
一実施例において、スカートは、使用時に洗面台の前部領域に位置する湾曲部分を含む。
【００１６】
一実施例において、ボウル・ユニットは、ボウル部分と、ボウル部分の周りに延在するデッキとを含む。
【００１７】
一実施例において、デッキは、スカートの周辺リムの周りに延在する下向きに曲がった壁部を含む。
【００１８】
一実施例において、スカートは、ボウル・ユニットのボウル部分の下に延在してこれを支持する支持構造を含む。
【００１９】
一実施例において、ボウル部分は支持構造に接着される。
【００２０】
一実施例において、ボウル・ユニット及びスカートは、接着材料、例えばエポキシ樹脂、によって互いに接着される。
【００２１】
一実施例において、デッキは、直立する後壁部をデッキの後縁部に含む。
【００２２】
一実施例において、洗面台は、放水吐出口（ｏｕｔｌｅｔ  ｓｐｏｕｔ）と、吐出口への水の流れを制御するバルブ・アセンブリとを含む。
【００２３】
一実施例において、バルブ・アセンブリは、スカートの前部分に隣接して位置する制御デバイスによって操作可能である。このことは、バルブのハンズフリー操作を可能にする。
【００２４】
一実施例において、バルブ・アセンブリは、水の流れを所定期間の間可能にするように構成される。
【００２５】
一実施例において、装着ブラケットは、正確に洗面台の水平をとることを支援するために、水準器を含む。
【００２６】
次に、本発明の実施例が、例として、添付の図面を参照して説明される。
【図面の簡単な説明】
【００２７】
【図１】装着ブラケットとともに示された、本発明の実施例による手洗い用洗面台の等角図である。
【図２】装着ブラケットとともに示された、水吐出口が取り付けられた手洗い用洗面台の等角図である。
【図３】洗面台の主なコンポーネントを図示する、手洗い用洗面台の分解等角図である。
【図４】図１の線ＩＶ−ＩＶ上の断面図である。
【発明を実施するための形態】
【００２８】
図面に示されるように、手洗い用洗面台２は、ボウル・ユニット４と、スカート６と、バルブ・アセンブリ８と、装着ブラケット１０とを含む。
【００２９】
ボウル・ユニット４は、好ましくはステンレス鋼、例えば、好ましくは研磨された高グレード３０４オーステナイト系ステンレス鋼で作られ、ボウル部分１２と、デッキ１４と、デッキ１４の側縁部及び前縁部の周りに延在する下向きに曲がった壁部１６と、デッキ１４の後縁部から上向きに延在する後壁部１８とを備える。この実施例において、ボウル部分１２は、部分的に球形であり、デッキ１４は、半円形の前部１４ａと実質的に矩形の後部１４ｂとを含む。ボウル部分１２及びデッキ１４は、代替的に他の形状をとってもよい。
【００３０】
デッキ１４は、後部１４ｂに蛇口又は水吐出口のための１つ又は複数の装着穴２０を備え得る。排出穴２２が、ボウル部分１２の最も下部に設けられる。任意選択的に、後壁部１８は、一体的な跳ね除けを提供するために上向きに延在されてよい。
【００３１】
スカート６は、熱可塑性材料で作られた一体成形体を有する。例えば、これは、好ましくは高強度の熱可塑性材料を使用して、射出成形によって作られ得る。好ましい実施例において、スカートは、混合されたＡＢＳ／ポリカーボネート材料から作られ、これは、任意選択的に、繊維状の補強材料を含み得る。
【００３２】
スカート６は、ボウル・ユニット４のための支持構造を提供する。例示された実施例において、スカート６は、洗面台２の側部及び前部の周りに延在する湾曲した周辺壁部２４と、実質的に垂直な後壁部２６とを含む。後壁部２６は、装着ブラケット１０と係合可能な装着構成体（ｍｏｕｎｔｉｎｇ  ｆｏｒｍａｔｉｏｎ）２７を含み、洗面台が設置される厨房又は他の部屋の支持壁にスカート６が取り付けられることを可能にする。
【００３３】
スカート６は、ボウル・ユニット４の形状に合致しており、周辺壁部２４の上側縁部が、ボウル・ユニット４の縁部分２９の下に、下向きに曲がった壁部１６に隣接して位置するリム２８を提供する。組み立てられた洗面台において、下向きに曲がった壁部１６は、リム２８及びスカート６の上側部分を覆う。
【００３４】
スカート６の下側部には、更なる支持構造３０が設けられ、これはボウル部分１２の下側部に係合してこれを支持する。穴３２が、リム２８及び支持構造３０に設けられ、接着剤、例えばエポキシ樹脂が、スカート６とボウル・ユニット４との間に、これら２つのコンポーネントを互いに接着するために注入されることを可能にする。
【００３５】
装着ブラケット１０は、例えばプレス加工されたステンレス鋼で作られており、スカート６の装着構成体２７と係合可能な装着構成体３４と、ネジ又は他の締結具のための穴３６とを含み、壁への取り付けを可能にする。装着ブラケット１０は、好ましくは、設置中に装着ブラケット１０が正確に水平をとることを確実にするために使用され得る一体的な水準器３８も含む。
【００３６】
この実施例において、バルブ・アセンブリ８は、温かい水及び冷たい水の給水を混ぜるためのミキサー・ユニット４２と、放水吐出口４６への水の流れを制御するストップ・バルブ４４とを含むバルブ・ユニット４０を含む。バルブ・ユニット４０は、装着ブラケット４７によってスカート６に固定される。ストップ・バルブ４４は、スカート６の前縁部の下にプッシュ・バー・ブラケット５０によって装着されたプッシュ・バー４８によって操作される。プッシュ・バー４８は、プッシュ・ロッド５２によってストップ・バルブ４４に接続される。圧縮バネ５４は、スカート６とプッシュ・バー４８との間に装着され、プッシュ・バー４８をストップ・バルブ４４が閉じられる位置へと外側に向かって付勢するように配置される。
【００３７】
ストップ・バルブ４４は、通常は閉じているが、プッシュ・バー４８を押すことによって開かれ得、吐出口４６への水の流れを許す。プッシュ・バー４８は、脚又は膝で押され得るように、スカート６の前部の下方に位置し、故に、洗面台２のハンズフリーでの使用を可能にする。ストップ・バルブ４４は、プッシュ・バー３８への圧力が解除されたなら即座に閉じるように構成されてよく、又は、プッシュ・バー４６が解除された後に所定の期間の間継続する水の流れを可能にする遅延機構を含んでよい。圧縮ばね５４は、プッシュ・バー４８がユーザによって押された後、プッシュ・バー４８を「オフ」位置へと戻す。
【００３８】
代替的に、洗面台２は、ユーザの手が洗面台の近傍で（例えば、赤外線又は超音波センサを使用して）検知されるたびに開く電子的に作動されるストップ・バルブを備えてよく、又は、手動で操作される１つ又は複数の蛇口が設けられてもよい。
【図１】
2019520962.tif 000003
【図２】
2019520962.tif 000004
【図３】
2019520962.tif 000005
【図４】
2019520962.tif 000006
【国際調査報告】
2019520962.tif 000007
2019520962.tif 000008
2019520962.tif 000009
2019520962.tif 000010